(57)【要約】【課題】  省電力動作モードから復帰時の電力低減。【解決手段】  省電力動作モード時、外部インターフェース部に接続された外部記憶装置の接続を検出した場合、該記憶装置のファイルの有無により起動部を変更する。【選択図】  図１
2009089327.tif 000002
【特許請求の範囲】
【請求項１】
外部記憶装置インターフェースを持ち、複数の機能と、省電力動作モード時各機能部個別に電力を低減または停止する機能を持つ画像処理装置において、
省電力動作モード時、外部記憶インターフェース部に記憶装置が接続されたことを検出し、省電力動作モードから動作モードに復帰する事を特徴とする画像処理装置。
【請求項２】
請求項１に記載の画像処理装置において、外部記憶装置内ファイルの有無を判断し、省電力動作モードからの復帰起動部を変更することを特徴とする画像処理装置。
【請求項３】
請求項１に記載の画像処理装置において、外部記憶装置内ファイルの有無、本体装置読取り部上の原稿の有無を検出し、省電力モード復帰時の復帰起動部を変更することを特徴とする画像処理装置。
【請求項４】
請求項１に記載の画像処理装置において、外部記憶装置内ファイルが、画像処理装置内にて処理可能、不可能を判断し、省電力動作モードからの復帰起動部を変更することを特徴とする画像処理装置。
【請求項５】
請求項３、又は請求項４に記載の画像処理装置において、省電力モード復帰時の優先動作モードを設定可能なことを特徴とする画像処理装置。
【請求項６】
請求項１に記載の画像処理装置において、省電力モード復帰後の動作履歴を保持し、該履歴により復帰時の優先動作モードを変更することを特徴とする画像処理装置。
【請求項７】
請求項５に記載の画像処理装置において、省電力モード復帰時の動作履歴を保持し、前記優先動作モードと比較し、復帰時の優先動作モードを変更する事を特徴とする画像処理装置。
【請求項８】
請求項１に記載の画像処理装置において、装置に接続可能な外部記憶装置を設定し、設定済み記憶装置を検出し、省電力動作モードから復帰動作を行うことを特徴とする画像処理装置。
【発明の詳細な説明】
【技術分野】
【０００１】
本発明は、外部記憶装置とのインターフェースを有する画像形成部、画像読取部、さらに情報通信処理部等とからなる画像処理装置に関するものである。
【背景技術】
【０００２】
従来、外部インターフェースを持つ画像処理装置は、省電力モードに移行後、該インターフェースにメモリを接続時、省電力モードから復帰することはなかった。このため、該インターフェースに接続されたストレージデバイスに、読取り画像を転送する場合、画像処理装置の全モジュール部を起動させ、その後に機能選択を行う必要があった。具体的には、表示操作部上にある特殊キーを押下し、機器本体の起動を行い、その後に、前記ストレージデバイスへの画像転送機能を選択していた。
【０００３】
また、一方、外部インターフェースに接続されるプリントシステムの例として、デジタルカメラとプリンタにおいて、該カメラ内のファイルを検索、出力する技術がある。（特許文献１）これは、デジタルカメラ接続時、印字履歴のあるファイル以外をプリンタ部に出力するものである。
【特許文献１】特開２００３−１５８６９６号公報
【発明の開示】
【発明が解決しようとする課題】
【０００４】
しかしながら、従来の技術では、プリント動作を伴わない読取り動作時においても、装置本体の全モジュールを起動していた。このことにより、全モジュールが操作毎に起動されることにより、無駄な起動電力が消費されているといった問題があった。
【０００５】
また一方、特許文献１に示された技術では、操作性は向上するものの、消費電力を低減させる提案はなされていない。
【課題を解決するための手段】
【０００６】
上述した問題を解決するために、本発明では、以下を有することを特徴とする。
【０００７】
外部ＵＳＢストレージデバイスの接続を監視するＵＳＢ  Ｉ／Ｆ手段。
【０００８】
ＵＳＢ  Ｉ／Ｆ部に接続されたストレージデバイス内のファイル等を表示する操作表示手段。
【０００９】
ＵＳＢ  Ｉ／Ｆ部に接続されたストレージデバイス内のファイルの有無を判断する制御手段。
【００１０】
電源出力を各機能部に供給、停止する切替制御手段。
【００１１】
上記手段を設定する入出力Ｉ／Ｆ手段。
【００１２】
装置全体の省電力モードと、通常動作モードと切換え制御を行う制御手段。
【発明の効果】
【００１３】
本発明により、外部メモリ接続時の省電力モードからの復帰時、装置全機能を動作させることが不必要となる。すなわち、外部メモリ接続によって動作する機能を限定し、その機能に関連する部分を復帰させる事により、前記復帰時の消費電力を低減する事が可能となる。また、省電力モードから全機能動作を実行するための復帰をした場合、時間を要する。それに対し、機能を限定し復帰する場合には、前記復帰時間は短縮される。これにより、ユーザー復帰待ち時間も短縮され、利便性も向上する。
【発明を実施するための最良の形態】
【００１４】
以下添付図面を参照して、本発明に係る好適な実施例を詳細に説明する。
【００１５】
図１は、本発明の第一の実施例による画像処理装置構成図である。
【００１６】
図２は、本発明の第一の実施例におけるフローチャートである。
【００１７】
図３は、本発明の第一の実施例における表示操作部の表示例である。
【００１８】
図４は、本発明の第二の実施例における起動設定テーブルである。
【００１９】
図５は、本発明の第二の実施例における表示操作部の表示例である。
【００２０】
ただし、この実施形態に記載されている図面はあくまで例示であり、この発明の範囲をこれらにのみ限定する主旨のものではない。
【００２１】
図１は本発明の画像処理装置の構成を示す図である。１００は画像処理装置を制御する制御部である。１０１はＣＰＵであり、画像処理装置全体を制御する。１０２はメモリＩ／Ｆ部であり、１０３；ＲＡＭのリード、ライトを制御する。
【００２２】
１０４は原稿を読取り、読取った画像をデジタルデータに変換する読取り部である。この１０４；読取り部から出力されるデータは、１０５の読取りＩ/Ｆ部に出力される。１０５；読取りＩ／Ｆ部は前記画像データを、画像処理を行う１０６；画像処理部に出力する。また、１０５；読取りＩ／Ｆ部は、１０４；読取り部を制御する制御信号を生成し、出力し１０４；画像読取り部を駆動する。
【００２３】
１０６；画像処理部は、１０７の記録Ｉ／Ｆ部に印字出力時画像データを変換し、出力する。１０７；記録Ｉ／Ｆ部は１０８；記録部に画像データを出力し、１０８；記録部は画像を印字出力する。
【００２４】
１０９は外部バスＩ／Ｆ部であり、１１０；ＦＬＡＳＨＲＯＭ、１１１；ＬＡＮＩ／Ｆ部等と接続される。
【００２５】
１２０はＵＳＢホスト機能を持つＵＳＢＩ／Ｆ部であり、１２１；ＵＳＢメモリ(ＵＳＢストレージデバイス)を接続することが可能である。
【００２６】
１３０は機器使用者の操作を入力、表示する表示操作部である。ユーザーの操作は、１３１の表示操作Ｉ／Ｆ部を通して、１０１；ＣＰＵに入力される。
【００２７】
１４０は入出力Ｉ／Ｆ部であり、入力、出力ポートを持つ。
【００２８】
１５０は電源部であり、画像処理装置へ電源を供給する。１５１は切換え制御部であり、１４０；入出力Ｉ／Ｆ部の出力により、１５０；電源部のからの電源出力を制御し、各部へ供給、停止を行う。
【実施例１】
【００２９】
次に図２；本発明による画像処理装置の動作を示すフローチャート、図１、図３を参照しながら、本発明における動作を説明する。
【００３０】
画像処理装置が省電力動作モード時、１０１；ＣＰＵにより、１４０；入出力Ｉ／Ｆ部、１３１；表示操作Ｉ／Ｆ部、１０５；読取りＩ／Ｆ部、１０７；記録Ｉ／Ｆ部の省電力モード設定を実行する。次に、１４０；入出力Ｉ／Ｆ部は、１５１；切替制御部を制御し、１３０；表示操作部、１０４；読取り部、１０８；記録部の１５０；電源部からの電源供給を停止する。以上により、本発明画像処理装置は省電力モードへ移行する。
【００３１】
Ｓ１００にて、１２１；ＵＳＢメモリが、１２０；ＵＳＢ  Ｉ／Ｆ部に接続されたことを検出する。
【００３２】
Ｓ１０１にて、１０１；ＣＰＵは１４０；入出力Ｉ／Ｆ部を設定し、１５１；切替制御部が、１３０；表示操作部へ電源供給を再開する。
【００３３】
Ｓ１０２において、１２１；ＵＳＢメモリ内のファイルの有無を検出する。１２１；ＵＳＢメモリ内に、本画像処理装置にて、処理可能なファイルがある場合には、Ｓ１０３に移行する。ファイルがない場合には、原稿を読取り、画像データを該ＵＳＢメモリ内に転送する機能を利用することを前提とし、Ｓ１０６に移行する。
【００３４】
Ｓ１０３にて、原稿が１０４；読取り部に存在する場合、１３１；表示操作部Ｉ／Ｆ部を制御し、１３０；表示操作部を図３の表示に変更する。原稿が存在しない場合、Ｓ１０４にて、１２１；ＵＳＢメモリ内のフォルダ、ファイルを、１３０；表示操作部に表示する。
【００３５】
Ｓ１０３にて、図３表示後、Ｓ１０５にて使用者が原稿を読取りＵＳＢへ転送機能を選択しない場合、Ｓ１０４にて、ＵＳＢメモリ内のフォルダ、ファイルを表示する。前記転送機能を選択した場合、Ｓ１０６にて、１０１；ＣＰＵは１０５；読取り部Ｉ／Ｆ部を設定し、１０４；読取り部を起動する。
【００３６】
Ｓ１０７、Ｓ１０８にて、１０４；読取り部は原稿を読み取り、画像データを１０５；読取りＩ／Ｆ部に出力する。このデータを１０５；読取りＩ／Ｆ部は１０６；画像処理部に出力する。該データは、符号化処理等を１０５；画像処理部により実行され、逐次、該処理データは１０２；メモリＩ／Ｆ部に出力される。１０２；メモリＩ／Ｆ部は、該処理データを、１０１；ＣＰＵの処理等との調整を行いながら１０３；ＲＡＭに格納する。
【００３７】
Ｓ１０８にて、原稿読取り終了後、１０１；ＣＰＵは１０２；メモリＩ／Ｆ部を通して、１０３；ＲＡＭ内にある前記画像データを、１２０；ＵＳＢ  Ｉ／Ｆ部に転送する。１２０；ＵＳＢ  Ｉ／Ｆ部は転送されたデータを、ＵＳＢ規格に準じたデータに変換し、１２１；ＵＳＢメモリに送る。
【００３８】
１２１；ＵＳＢメモリ内のデータを表示後、Ｓ１１１にて、表示されたファイル未選択の場合には、Ｓ１１４にてキャンセルが選択されたか判断する。この時、キャンセルの場合は、終了する。また、キャンセルが選択されない場合には、Ｓ１１１にて使用者がファイルを選択するのを待つ。
【００３９】
図３の表示において、Ｓ１１２にてプリンタ機能を選択した場合、１０１；ＣＰＵは、１４０；入出力Ｉ／Ｆ部を通して、１５１；切替制御部を駆動し、１０８；記録部を起動する。また、１０７；記録Ｉ／Ｆ部を省電力モードから、動作モードへと移行させる。(Ｓ１１５)
Ｓ１１６にて、選択されたファイルを１０１；ＣＰＵは、１２１；ＵＳＢメモリから読み出し、１００；ＲＡＭ内に蓄積する。その後、蓄積されたデータを１０６；画像処理部を通し、１０７；記録Ｉ／Ｆ部に送り、１０８；記録部に出力することにより、印字を開始、終了する。
【００４０】
Ｓ１１３にてＥ−ｍａｉｌ機能選択の場合には、１０１；ＣＰＵは１１１；ＬＡＮ  Ｉ／Ｆ部を起動する。（Ｓ１１７）また、１２１；ＵＳＢメモリから使用者が選択したファイルデータを、１２０；ＵＳＢ  Ｉ／Ｆ部、１０２；メモリＩ／Ｆ部を通し、１０３；ＲＡＭに格納する。
【００４１】
Ｓ１１８にて、使用者の送信先のＥ−ｍａｉｌアドレス入力を待つ。
アドレス入力後、ユーザーが送信を選択したら、前記１０３；ＲＡＭ内の使用者が選択したファイルデータを、１０２；メモリＩ／Ｆ部、１０９；外部バスＩ／Ｆ部を通し、１１１；ＬＡＮ  Ｉ／Ｆ部に送信し、終了する。
【実施例２】
【００４２】
実施例１では、使用者が、機能を選択する場合を優先した。これに対し、あらかじめ設定を登録し、その設定により動作する構成も考えられる。図４、図５を用いて説明する。
【００４３】
図４−１には、１２１；ＵＳＢメモリ接続を検出した場合の起動設定テーブルを示す。ここで、優先フラグ１，２の組み合わせにより、起動時の動作を指定する。このテーブルは、１３０；表示操作部から、ユーザーが設定し、１０１；ＣＰＵは１１０；ＦＬＡＳＨＲＯＭ内に格納する。
【００４４】
図４−１の例は、優先フラグ１、２に“１”の設定のある“読取り画像をＵＳＢに転送”する機能が最優先される。この時の１３０；操作表示部の例を図５-1に示す。
【００４５】
また、ユーザーがこの機能を選択しない場合、次に優先フラグ１に“１”が設定されている“ＰＲＩＮＴ”機能が優先される。（図５−１内“他機能選択”をユーザーが選択した場合。）同様に１３０；操作表示部の例を図５-２に示す。
【００４６】
プリント機能非選択の場合には、優先フラグ２に“１”設定の“Ｅ-ｍａｉｌ添付”機能が表示される。（図５−３）
同様に、図４−２に最優先機能を“ＰＲＩＮＴ”、次優先機能を“読取り画像をＵＳＢへ転送”、最後に“Ｅ-ｍａｉｌ添付”機能を優先とした場合の設定テーブルを示す。
【００４７】
図４−１の設定の場合、１２１；ＵＳＢメモリが挿入された場合には、１３０；表示操作部、１３１；表示操作Ｉ／Ｆ部が起動される。
【００４８】
“読取り画像をＵＳＢに転送”が選択された場合、実施例１と同様に、図２  Ｓ１０６にて、１０４；読取り部、１０５；読取りＩ／Ｆ部を起動する。
【００４９】
“ＰＲＩＮＴ”機能が選択された場合には、実施例１同様、１０８；記録部、１０７；記録Ｉ／Ｆ部を起動し、選択されたファイルをプリントする。
【００５０】
“Ｅ-ｍａｉｌ”機能が選択された場合には、１１１；ＬＡＮ  Ｉ／Ｆ部を起動し、入力されたアドレスに、選択されたファイルを添付し、送信する。
【図面の簡単な説明】
【００５１】
【図１】第一の実施例による画像処理装置構成図
【図２】第一の実施例におけるフローチャート
【図３】第一の実施例における表示操作部の表示例
【図４】第二の実施例における起動設定テーブル
【図５】第二の実施例における表示操作部の表示例
【符号の説明】
【００５２】
１００  制御部
１０１  ＣＰＵ
１０４  読取り部
１０５  読取りＩ／Ｆ部
１０７  記録Ｉ／Ｆ部
１０８  記録部
１１０  ＦＬＡＳＨＲＯＭ
１１１  ＬＡＮ  Ｉ／Ｆ部
１２０  ＵＳＢ  Ｉ／Ｆ部
１２１  ＵＳＢメモリ
１３０  表示操作部
１３１  表示操作Ｉ／Ｆ部
１４０  入出力Ｉ／Ｆ部
１５０  電源部
１５１  切替制御部
【図１】
2009089327.tif 000003
【図２】
2009089327.tif 000004
【図３】
2009089327.tif 000005
【図４】
2009089327.tif 000006
【図５】
2009089327.tif 000007